(57)【特許請求の範囲】
【請求項１】
回転する回転刃具を有する切断機本体と、切断材を載置するテーブルと、該テーブルに対して前記切断機本体を上下に変位可能に支持する本体支持部を備え、
前記切断機本体は、前記回転刃具の上部を覆うブレードケースと、該回転刃具の下部を覆い、当該切断機本体の上下動動作に連動して開閉される可動カバーと、該可動カバーの開放により露出された回転刃具の刃先を覆うとともに、切断部位で発生した切断粉を前記ブレードケースに設けたダストノズルに向けて案内する集塵ガイドを備えた卓上切断機における前記集塵ガイドであって、
前記切断機本体の下動動作に伴って前記ブレードケースの下部から下方へ張り出す方向に、該ブレードケースに対して相対的に変位する集塵ガイド。
【請求項２】
請求項１記載の集塵ガイドであって、前記切断機本体の下動動作中若しくは停止中に上方へ退避可能な集塵ガイド。
【請求項３】
請求項１又は２記載の集塵ガイドであって、前記切断機本体の下動動作に伴って前記回転刃具に接近する集塵ガイド。
【請求項４】
請求項１〜３のいずれか１項に記載した集塵ガイドであって、
前記可動カバーは、前記本体支持部との間に介装したリンクアームを介して前記切断機本体の下動動作に連動して開かれ、上動動作に連動して閉じられ、
前記リンクアームは、一端側が前記本体支持部に対して上下に回動可能に支持され、他端側が前記可動カバーに係合され、その長手方向中途部位に案内溝部を備え、該案内溝部に前記ブレードケースに設けた案内凸部を係合させて、前記切断機本体の上下動動作により上下に変位して前記可動カバーを開閉する構成とされており、
当該集塵ガイドに案内壁部を設け、該案内壁部を前記案内凸部に上側から係合させて、当該集塵ガイドの上方への退避を許容しつつ、前記案内凸部の下方への変位により下方へ変位させ、かつ刃先に接近させる構成とした集塵ガイド。
【請求項５】
請求項１〜４のいずれか１項に記載した集塵ガイドであって、リーフスプリングにより下方へ回動する方向に付勢された集塵ガイド。
【請求項６】
請求項５記載の集塵ガイドであって、前記リーフスプリングに切断粉を前記ダクトノズル側に案内する機能を持たせた集塵ガイド。
【請求項７】
請求項１〜６の何れか１項に記載した集塵ガイドであって、上下に回動可能に支持され、前記可動カバーが開かれると下方に張り出す下補助ガイドを備えた集塵ガイド。
【請求項８】
請求項７記載の集塵ガイドであって、前記下補助ガイドは、前記切断機本体の切断材面方向の移動に伴って該切断材に摺接されて当該下補助ガイドを上方へ退避させる退避案内部を備えた集塵ガイド。
【請求項９】
請求項１〜８の何れか１項に記載した集塵ガイドであって、上下に回動可能に支持され、当該集塵ガイドが下方へ回動すると相対的に上方へ回動して切断粉を前記ダストノズル側に案内する上補助ガイドを備えた集塵ガイド。
【発明の詳細な説明】
【技術分野】
【０００１】
この発明は、スライドマルノコ等と称される卓上形の切断機において、切断加工により発生する切断粉等の集塵をするための集塵ガイドに関する。
【背景技術】
【０００２】
卓上形の切断機（丸鋸盤）は、切断材を載置するテーブルと、該テーブルの後部に本体支持部を経て上下に傾動可能に支持された切断機本体を備えている。切断機本体は、電動モータを駆動源として回転する円形の回転刃具を備えている。回転刃具の上部側はブレードケースで覆われている。回転刃具の下部側は可動カバーで覆われている。この可動カバーは、切断機本体の上下動作に連動して開閉される。切断機本体を下動させると、これに連動して可動カバーが開かれて、回転刃具の下部側が徐々に露出され、この露出部分が切断材に切り込まれる。切断機本体を上動させると可動カバーは例えばばねの付勢力によって徐々に閉じられて刃先が覆われる。
回転刃具は、切断材に対して下から上へ変位する方向に切り込まれて切断加工がなされる。このため、切断により発生する切断粉が切断部位から上方へ吹き上げられる。発生した切断粉が周囲に飛散すると作業環境が損なわれる。また、発生した切断粉が切断部位に堆積すると、スミ線や切断部位が見づらくなって作業に支障を来すおそれがある。このため、従来この種の切断機では切断加工に伴って発生する切断部位付近の切断粉を集塵しあるいは除去するための様々な工夫がなされている。
例えば、下記の特許文献１には、切断機本体の下降端位置において切断材に干渉しない範囲でブレードケースの下部にコ字形の集塵ガイドを下方へ張り出す状態に取り付けておくことにより、切断部位で発生した切断粉をこの集塵ガイドで上方のダストノズルへ案内する技術が開示されている。この特許文献１には、固定式の集塵ガイドが開示されている。これに対して下記の特許文献２に開示された集塵ガイドは、ブレードケースの下部に上下に回動可能に支持されており、切断材の上面に当接して切断部位の周囲をより隙間なく覆うことにより上方のダストノズルへの集塵効率を一層高めた構成となっている。
また、下記の特許文献３には、ブレードケースから下方へ張り出して切断粉をダストノズル側へ案内する集塵ガイドを切断機本体の上下動作に連動して上下動させる技術が開示されている。
【先行技術文献】
【特許文献】
【０００３】
【特許文献１】特開２００６−２７１０４号公報
【特許文献２】実開平３−１０８４０１号公報
【特許文献３】特開２００８−７３９２０号公報
【発明の概要】
【発明が解決しようとする課題】
【０００４】
しかしながら、上記従来の集塵ガイドにも下記の点でさらに改善を加える必要があった。特許文献１に開示された集塵ガイドは、ブレードケースの下部に張り出した状態に固定されているため、例えば切断材位置決め用のフェンス等他部位との干渉を避ける必要から下方への張り出し寸法を大きくするには限界があり、その結果特に板厚の薄い切断材の場合にはこの集塵ガイドは切断部位から離れた部位となって常に高い集塵効率を得ることが困難であった。
特許文献２に開示された集塵ガイドは、上下に一定の角度範囲内で自由回転可能に支持されたもので、その下側の回動端位置が一定であるため、切断材に対する回転刃具の切り込み量の変化に伴う切断部位の変位ひいては切断材吹き出し方向の変化に対応させることが困難で、常時高い集塵効率を得ることができなかった。
特許文献３に開示された集塵ガイドは、切断機本体の上下動作に連動して上下動する構成ではあるものの、その移動方向は、切断材に対する干渉を回避するために逆に上方へ逃げる方向すなわち切断部位から遠ざかる方向となっており、その結果特に板厚の薄い切断材の場合の集塵効率が低下する問題があった。
本発明は、切断機本体の上下動動作に連動して移動する集塵ガイドの集塵効率を一層高めることを目的とする。
【課題を解決するための手段】
【０００５】
上記の課題は、以下の各発明により解決される。
第１の発明は、回転する回転刃具を有する切断機本体と、切断材を載置するテーブルと、テーブルに対して切断機本体を上下に変位可能に支持する本体支持部を備え、切断機本体は、回転刃具の上部を覆うブレードケースと、回転刃具の下部を覆い、当該切断機本体の上下動動作に連動して開閉される可動カバーと、可動カバーの開放により露出された回転刃具の刃先を覆うとともに、切断部位で発生した切断粉をブレードケースに設けたダストノズルに向けて案内する集塵ガイドを備えた卓上切断機における集塵ガイドである。第１の発明に係る集塵ガイドは、切断機本体の下動動作に伴ってブレードケースの下部から下方へ張り出す方向に変位するとともに、回転刃具の刃先に対して接近する方向に変位する構成とされている。
第１の発明によれば、切断機本体の下動動作に伴って下方に変位するとともに、回転刃具の刃先に対して接近することから、より切断部位に近い部位で切断粉を集塵することができ、これによりダストノズルに向けた集塵効率を一層高めることができる。
第２の発明は、第１の発明において、切断機本体の下動動作中若しくは停止中に上方へ退避可能な集塵ガイドである。
第２の発明によれば、当該集塵ガイドを例えば板厚の厚い切断材の上面に当接させた状態で切断機本体を下動させて回転刃具を切り込ませることができるので切断部位の周辺をこの集塵ガイドでより確実に覆うことができ、これによりダストノズルへの集塵効率を一層高めることができる。
第３の発明は、第１又は第２の発明において、切断機本体の下動動作に伴って回転刃具に接近する集塵ガイドである。
第３の発明によれば、フローリング材等の板厚の薄い切断材を切断する場合であって切断部位とダストノズルとの距離が遠くなる場合であっても、集塵ガイドが刃先に接近してより切断部位に近い位置で切断粉が集塵され、これにより一層効率よく切断粉をダストノズル側に向けて案内することができる。
第４の発明は、第１〜第３のいずれか一つの発明において、可動カバーは、本体支持部との間に介装したリンクアームを介して切断機本体の下動動作に連動して開かれ、上動動作に連動して閉じられる構成となっている。第４の発明では、リンクアームは、一端側が本体支持部に対して上下に回動可能に支持され、他端側が可動カバーに係合され、その長手方向中途部位に案内溝部を備え、案内溝部にブレードケースに設けた案内凸部を係合させて、切断機本体の上下動動作により上下に変位して可動カバーを開閉する構成となっている。第４の発明では、集塵ガイドに案内壁部を設け、この案内壁部を案内凸部に上側から係合させて、当該集塵ガイドの上方への退避を許容しつつ、案内凸部の下方への変位により下方へ変位させ、かつ刃先に接近させる構成となっている。
第４の発明によれば、切断機本体の上下動に対して可動カバーを開閉させる機構の一部を利用して集塵ガイドを変位させる構成であるので、構成の簡略化を図りつつ集塵効率を高めることができる。案内凸部に上側から係合させた案内壁部の形状を適切に設定することにより、集塵ガイドの変位について任意のタイミング及び経路を設定することができる。
第５の発明は、第１〜第４のいずれか一つの発明において、リーフスプリングにより下方へ回動する方向に付勢された集塵ガイドである。
第５の発明によれば、当該集塵ガイドを確実に下方へ変位させ、かつ刃先に接近させることができるので、確実な集塵を行うことができる。
第６の発明は、第５の発明において、リーフスプリングに切断粉をダクトノズル側に案内する機能を持たせた集塵ガイドである。
第６の発明によれば、当該集塵ガイドで集塵された切断粉等がリーフスプリングによってダストノズルまで確実に案内され、これにより一層確実な集塵が実現される。
第７の発明は、第１〜第６のいずれか一つの発明において、上下に回動可能に支持され、可動カバーが開かれると下方に張り出す下補助ガイドを備えた集塵ガイドである。
第７の発明によれば、例えばフローリング材等の板厚の薄い切断材を切断する場合であってガイド本体が切断材の上面に当接されない場合であっても、当該ガイド本体から下補助ガイドが下方へ張り出して切断材上面に当接されることにより切断粉の集塵が効率よく行われる。
第８の発明は、第７の発明において、下補助ガイドは、切断機本体の切断材面方向の移動に伴って切断材に摺接されて当該下補助ガイドを上方へ退避させる退避案内部を備えた集塵ガイドである。
第８の発明によれば、切断機本体を上下動に加えて切断材の面方向にスライドさせてより長い距離の切断加工を可能としたいわゆるスライドマルノコに当該集塵ガイドを装備した場合において、切断機本体を下動させた後切断材面方向にスライドさせて切断加工を行う場合に、退避案内部を介して下補助ガイドを切断材の上面側にスムーズに案内することができ、これにより切断機本体をスムーズにスライドさせつつ下補助ガイドを機能させて効率のよい集塵を行うことができる。
第９の発明は、第１〜第８のいずれか一つの発明において、上下に回動可能に支持され、当該集塵ガイドが下方へ回動すると相対的に上方へ回動して切断粉をダストノズル側に案内する上補助ガイドを備えた集塵ガイドである。
第９の発明によれば、例えば板厚の薄い切断材を切断する場合であってガイド本体が大きく下動した場合であっても、当該ガイド本体から上補助ガイドが上方へ回動して張り出すことにより当該ガイド本体とダストノズルとの間に連続した集塵路が確保されて効率のよい集塵がなされる。
【図面の簡単な説明】
【０００６】
【図１】第１実施形態に係る集塵ガイドを備えた卓上切断機全体の左側面図である。本図は、切断機本体を上死点かつ最も手前側のスライド前端位置に位置させた状態で示されている。
【図２】卓上切断機全体の左側面図である。本図は、切断機本体を下死点かつ最も手前側のスライド前端位置に位置させた状態で示されている。
【図３】卓上切断機全体の左側面図である。本図は、切断機本体を上死点かつ最も手前側のスライド前端位置に位置させた状態で示されている。本図は、ブレードケースの後部側が縦断面で示されている。
【図４】卓上切断機全体の左側面図である。本図は、切断機本体を下死点かつ最も手前側のスライド前端位置に位置させた状態で示されている。
【図５】第１実施形態に係る集塵ガイドを備えた切断機本体の一部破断平面図である。
【図６】第２実施形態に係る集塵ガイドを備えた卓上切断機全体の左側面図である。本図は、切断機本体を上死点かつ最も手前側のスライド前端位置に位置させた状態で示されている。
【図７】第２実施形態に係る集塵ガイドを備えた切断機本体の左側面図である。本図は、切断機本体を上死点から少しの角度だけ下動させ、その結果可動カバーが少し開かれた状態を示している。
【図８】第２実施形態に係る集塵ガイドを備えた切断機本体の左側面図である。本図は、切断機本体を下死点まで下動させ、かつ最も手前側のスライド前端位置に位置させた状態で示されている。
【図９】第２実施形態の集塵ガイド単体の斜視図である。本図は、左側面を斜め前側から見た状態を示している。
【図１０】第２実施形態の集塵ガイド単体の斜視図である。本図は、右側面を斜め前側から見た状態を示している。
【図１１】第３実施形態の集塵ガイドを備えた卓上切断機全体の左側面図である。本図は、切断機本体を下死点かつ最も手前側のスライド前端位置に位置させた状態で示されている。
【図１２】第３実施形態の集塵ガイド単体の斜視図である。本図は、左側面を斜め前側から見た状態を示している。
【発明を実施するための形態】
【０００７】
次に、本発明の実施形態を図１〜図１１に基づいて説明する。図１は、第１実施形態に係る集塵ガイド４０を備えた卓上切断機１を示している。本例では、卓上切断機１としていわゆるスライドマルノコ（丸鋸盤）を例示する。卓上切断機１の基本的な構成については従来と同様であり、本例において特に変更を要しない。以下、卓上切断機１の基本的構成について簡単に説明する。
この卓上切断機１は、切断材Ｗを載置するテーブル２と、テーブル２を回転可能に支持するベース３と、テーブル２の後部に設けた本体支持部４と、本体支持部４を介してテーブル２の上方に支持された切断機本体１０を備えている。図１において、この卓上切断機１の右側に使用者が位置する。以下、部材及び構成等の前後方向については、使用者から見て手前側（図１において右側）を前側とし、切断が進行する方向（図１において左側）を後ろ側とする。また、左右方向についても使用者を基準とする。従って、図５では上側を右側とし、下側を左側として説明する。
テーブル２は、ベース３上に水平回転可能に支持されている。テーブル２の回転位置は、ロックノブ２ａを緩め、あるいはロックレバー２ｂを解除することにより変更することができる。テーブル２の回転位置を変更することにより、切断材を平面視で様々な角度で切断加工することができる。テーブル２の上方には、切断材Ｗをテーブル面方向に位置決めするための位置決めフェンス５が配置されている。この位置決めフェンス５は、テーブル２の左右側方に張り出すベース３の左右補助テーブル部３ａ，３ａ間に跨って取り付けられている。この位置決めフェンス５とテーブル２の上面との間には僅かな隙間が設けられている。
【０００８】
テーブル２の後部に設けた本体支持部４は、上下２段の前後スライド機構６，８と左右傾動機構７を備えている。下段側の前後スライド機構６は、テーブル２の後部に対して前後にスライド自在に支持された左右一対のスライドバー６ａ，６ａを主体としている。スライドバー６ａ，６ａの後端部に左右傾動機構７が支持されている。左右傾動機構７は、両スライドバー６ａ，６ａの後端に取り付けられた傾動受け部材７ａと、この傾動受け部材７ａに対して図示省略した前後方向の回動軸を介して結合された傾動支持部材７ｂを備えている。傾動受け部材７ａに対する傾動支持部材７ｂの傾動位置は、固定レバー７ｃを緩めることにより調整することができる。この左右傾動機構７は、直角切り位置と左右４５°傾斜切り位置に精確かつ迅速に位置決めできる位置決め機構を内装している。また、その他の任意の傾斜角度についても固定できるようになっている。この左右傾動機構７によって、切断機本体１０を傾斜させることにより、回転刃具を切断材Ｗに対して斜めに切り込む傾斜切り加工を行うことができる。
傾動支持部材７ｂの上部には、本体支持アーム７ｄが上方へ延びる状態に設けられている。本体支持アーム７ｄの上部に上段側の前後スライド機構８が支持されている。上段側の前後スライド機構８も下段側の前後スライド機構６と同様、左右一対のスライドバー８ａ，８ａを主体としている。両スライドバー８ａ，８ａは、本体支持アーム７ｄの上部に設けたスライド支持部８ｂに対して相互に平行で前後にスライド自在に支持されている。上下２段の前後スライド機構６，８は、相互に平行かつ独立して前後にスライド動作可能となっている。上段側の前後スライド機構８における両スライドバー８ａ，８ａの後端部は、後端結合ブロック８ｃを介して相互に結合されている。両スライドバー８ａ，８ａの前端部は、本体支持ブラケット１１を介して相互に結合されている。この本体支持ブラケット１１に本体支軸１２を介して切断機本体１０が上下に傾動可能に支持されている。切断機本体１０は、図示省略したばねによって上方へ付勢されている。図１は、切断機本体１０がこのばね付勢力によって上方の待機位置に保持された状態を示している。
切断機本体１０を下方へ傾動させて回転刃１４を切断材Ｗに切り込むことにより当該切断材Ｗを切断加工することができる。また、切断機本体１０を下方へ傾動させた状態で上下二段のスライド機構６，８により当該切断機本体１０を切断材Ｗの面方向に沿って後方へスライドさせることにより大型の切断材Ｗを切断加工することができる。
【０００９】
切断機本体１０は、本体ケースＨを備えている。本体ケースＨは、後部の支持部１９とその上部のダストノズル１８と前部のブレードケース１５を一体に備えている。本体ケースＨの支持部１９が本体支軸１２を介して本体支持ブラケット１１に回動可能に支持されている。本体ケースＨの右側部に電動モータ１３が取り付けられている。本体ケースＨの前部に設けられた半円形のブレードケース１５に上部を覆われた状態で円形の回転刃具１４が回転可能に支持されている。電動モータ１３を駆動源としてこの回転刃具１４が回転する。回転刃具１４の回転方向を示す白抜きの矢印１５ｃがブレードケース１５の左側部１５Ｌに表示されている。図１において回転刃具１４は時計回り方向に回転する。
本体ケースＨの右側部１５Ｒに使用者が把持するハンドル部１６が一体に設けられている。ハンドル部１６はループ形を有しており、その内周側にスイッチレバー１７が設けられている。使用者がハンドル部１６を把持した手の指先でこのスイッチレバー１７を引き操作すると電動モータ１３が起動して回転刃具１４が回転する。また、使用者はハンドル部１６を把持して切断機本体１０を上下に傾動操作することができる。
切断機本体１０の下動端位置（最大切り込み深さ）は、ケース本体Ｈの支持部１９に設けたストッパボルト３４を、本体支持ブラケット１１に設けたストッパブロック３５に当接させることにより規制される。ストッパボルト３４の締め込み量を調整することにより、切断機本体１０の下動端位置を微調整することができる。なお、この切断加工用のストッパボルト３４とは別に、その前側には溝切り加工用の長いストッパボルト３６が備えられており、加工形態によっていずれかのストッパボルト３４，３６を切り換えて機能させることができる。
ブレードケース１５の後部に設けられたダストノズル１８は、当該ブレードケース１５の内部に連通されている。図示は省略したがこのダストノズル１８には、例えばダストバッグ（集塵袋）が取り付けられる。また、場合によっては集塵機の集塵ホースが接続される。ブレードケース１５内に巻き上げられた切断粉等がこのダストノズル１８を経てダストバッグ等に集塵される。
回転刃具１４の下側半周部分は、ブレードケース１５から下方へ突き出されている。ブレードケース１５から下方へ突き出された回転刃具１４の下側半周部分は可動カバー２０で覆われる。可動カバー２０は、ブレードケース１５に対して支軸２１を介して上下に回転可能に支持されている。ブレードケース１５の左側部１５Ｌには、回転刃具１４の回転中心付近の前方を塞ぐための補助プレート２２が取り付けられている。図５に示すようにこの補助プレート２２は、支軸２３を介して上下に回動可能に支持されて、回転刃具１４の回転中心付近の前方を塞ぐ取り付け位置と、開放する開放位置との間を移動可能に支持されている。この補助プレート２２は、固定ねじ２４によって遮蔽位置に固定されている。固定ねじ２４を緩めると、当該補助プレート２２は支軸２３を中心にして下方へ回動し、これにより開放位置に移動させることができる。この補助プレート２２を開放位置に移動させることにより、回転刃具１４の脱着作業を楽に行うことができる。可動カバー２０は、この補助プレート２２に支軸２１を介して上下に回動可能に支持されている。
また、図示は省略されているが、可動カバー２０とブレードケース１５との間には捩りばねが介装されている。この捩りばねによって可動カバー２０は閉じ方向に付勢されている。
【００１０】
可動カバー２０は、リンクアーム３０を介して切断機本体１０の上下動動作に連動して開閉される。リンクアーム３０の後端部は、支軸３１を介して本体支持ブラケット１１に支持されている。支軸３１は、本体支軸１２の下側に配置されている。この支軸３１と本体支軸１２間の軸間距離は、切断機本体１０の上下動作に連動して可動カバー２０を適切なタイミングで開閉させるために必要な軸間距離に設定されている。
リンクアーム３０は、この支軸３１を介して上下に回動可能に支持されている。このリンクアーム３０は、ケース本体Ｈの支持部１９から前方に延びている。このリンクアーム３０は、ブレードケース１５の左側部１５Ｌの内面側に沿って可動カバー２０の回転中心付近に至っている。リンクアーム３０の前端には係合ローラ３２が回転可能に取り付けられている。この係合ローラ３２は、可動カバー２０の回転中心付近に設けた係合板部２０ａに突き当てられている。
リンクアーム３０の長手方向ほぼ中央には、上向きに凸の円弧形状をなす案内溝部３０ａが設けられている。この案内溝部３０ａには、案内凸部３３が挿入されている。案内凸部３３は、ブレードケース１５の左側部１５Ｌの内面に突き出す状態で設けられている。この案内凸部３３が案内溝部３０ａ内に挿入されていることにより、切断機本体１０の上下動動作に伴うリンクアーム３０の上下方向の傾動動作が一定の動作に規制される。切断機本体１０が上方の待機位置（図１に示す位置）から下動すると、リンクアーム３０の係合ローラ３２が係合板部２０ａを押しながら支軸２１回りを反時計回り方向に移動するため、可動カバー２０がばね付勢力に抗して徐々に開かれていく。可動カバー２０の開き状態が図２に示されている。逆に、図２に示す可動カバー２０の開き状態から切断機本体１０を上方へ戻すと、リンクアーム３０の係合ローラ３２が支軸２１回りを時計回り方向に移動するため、可動カバー２０はその自重及びばね付勢力により徐々に閉じられていく。
【００１１】
可動カバー２０が開かれた状態で、回転刃具１４が切断材Ｗに切り込まれると切断部位Ｃにおいて切断粉が上方へ吹き上げられる。切断部位Ｃから吹き上げられた切断粉は、ブレードケース１５の後部付近において左右側部１５Ｌ，１５Ｒ間に流入して、多くの切断粉がダストノズル１８に案内される。しかしながら、切断部位Ｃとブレードケース１５の下部との間に間隔が大きい場合には、切断部位Ｃから吹き上げられた切断粉の一部がブレードケース１５内に吹き上げられず、ダストノズル１８への集塵効率が低下する。これを補うため、ブレードケース１５の後部には集塵ガイド４０が設けられている。
この集塵ガイド４０は、左右の集塵壁部４１，４２と、両集塵壁部４１，４２を後部側で相互に結合する集塵底部４３と、この集塵底部４３から後方へ延びる支持アーム部４４を備えている。左右の集塵壁部４１，４２は、それぞれ回転刃具１４の刃先に対して左方及び右方に張り出す状態に位置され、集塵底部４３は刃先の後方に張り出す状態に位置され、これらにより切断部位Ｃで発生する切断粉の飛散が防止される。
支持アーム部４４は、左側の集塵壁部４１の後部から後方へほぼ面一に延びている。この支持アーム部４４の後端部は、本実施形態ではリンクアーム３０と同じ支軸３１を介して本体支持ブラケット１１に結合されている。この支軸３１を介して集塵ガイド４０が本体支持ブラケット１１に上下に傾動可能に支持されている。
左側の集塵壁部４１の前側には、ブレードケースの左側部１５Ｌ側に開口する向きで逃がし凹部４１ａが段付き形状に設けられている。この逃がし凹部４１ａの上部に沿って円弧形状の案内壁部４５が左側部１５Ｌ側に張り出す状態で設けられている。この案内壁部４５が案内凸部３３に上側から乗せ掛けられている。
また、図４及び図５に示すように集塵ガイド４０の集塵底部４３には、リーフスプリング４６が取り付けられている。このリーフスプリング４６は、集塵底部４３の上部から後方かつ斜め上方へ張り出す状態に取り付けられている。このリーフスプリング４６は矩形の薄板形状を有するもので、その上部側はダストノズル１８内に進入し、かつダストノズル１８の底部に弾性的に押し当てられている。このリーフスプリング４６によって集塵ガイド４０は下方へ回動する方向に付勢されている。このため、切断機本体１０の下動動作により案内凸部３３が下方へ変位すると、これに伴って集塵ガイド４０がその自重及びリーフスプリング４６の付勢力によって支軸３１を中心にして下方へ回動する。
一方、集塵ガイド４０は、リーフスプリング４６の付勢力に抗して上方への回動が許容されている。このため、切断機本体１０の下動途中で、集塵ガイド４０の下部が切断材Ｗの上面に当接してもそのまま切断機本体１０をさらに下動させることができる。
【００１２】
また、集塵ガイド４０は、切断機本体１０の回動中心である本体支軸１２に対して下側に一定の軸間距離をおいて配置された異なる支軸３１を中心にして上下に回動する。このため、リーフスプリング４６で下動側に付勢された集塵ガイド４０は、切断機本体１０の下動に伴って案内凸部３３を案内壁部４５の下面に沿って相対的に変位させつつ下方へ回動することにより、ブレードケース１５に対して下方へ回動する結果その左右の集塵壁部４１，４２をブレードケース１５の下部からより下方へ張り出させた状態となるとともに、より刃先に接近した状態となる。図３に示す切断機本体１０の上動位置（集塵ガイド４０の格納位置）と図４に示す切断機本体１０の下動位置（集塵ガイド４０の取り出し位置）とを比較すると、後者の下動位置では、側面視で左右の集塵壁部４１，４２の回転刃具１４に対するオーバーラップ範囲が前者の上動位置よりも広くなっていることから、当該集塵ガイド４０がその取り出し位置ではより回転刃具１４の刃先に接近していることが明確に理解される。
このことから、切断機本体１０が下動して切断刃１４が切断材Ｗに切り込まれる状態では、集塵ガイド４０が切断部位Ｃにより接近した状態となり、これにより切断部位Ｃで発生した切断粉が集塵ガイド４０の左右の集塵壁部４１，４２間に効率よく吹き上げられる。
リーフスプリング４６は、上記したように集塵ガイド４０を下方へ付勢するとともに、左右の集塵壁部４１，４２間に引き上げられた切断粉をダストノズル１８側へ案内する機能を有している。このため、切断部位Ｃから上方へ吹き上げられて、一旦集塵ガイド４０の集塵壁部４１，４２間に進入した切断粉は、このリーフスプリング４６によってダストノズル１８内まで途切れることなく確実に集塵される。
切断機本体１０を図２及び図４に示す下動位置から上動させると、リンクアーム３０がその先端の係合ローラ３２を支軸２１周りに後ろ側へ変位させる方向に回動することにより可動カバー２０が徐々に閉じられるとともに、案内凸部３３が上動することにより集塵ガイド４０がリーフスプリング４６に抗して徐々に上動する。切断機本体１０の回動中心（本体支軸１２）と集塵ガイド４０の回動中心（支軸３１）が異なることから、集塵ガイド４０は、その案内壁部４５の下面に沿って案内凸部３３を後ろ側へ相対変位することによりブレードケース１５に対して上動し、かつ回転刃具１４の刃先に対して離間する方向に変位する。
【００１３】
以上説明したように第１実施形態の集塵ガイド４０は、切断機本体１０の下動動作に伴ってブレードケース１５からより下方へ張り出す方向に回動し、かつ回転刃具１４の刃先に接近する方向に変位する。このため、切断加工の段階で、切断部位Ｃにより近い位置でその左右側方を左右の集塵壁部４１，４２で遮蔽し、後方を集塵底部４３で遮蔽してより確実に切断粉を集塵できる位置に集塵ガイド４０を位置させることができ、これによりダストノズル１８に向けた集塵効率を一層高めることができる。
また、集塵ガイド４０は、上方への退避が許容される状態で下動することから、当該集塵ガイド４０を例えば板厚の厚い切断材Ｗの上面に当接させた状態で切断機本体１０を下動させて回転刃具１４を切り込ませることができるので切断部位Ｃの周辺をこの集塵ガイド４０でより確実に覆うことができ、この点でもダストノズルへの集塵効率を一層高めることができる。
さらに、切断機本体１０の上下動動作に連動して可動カバー２０を開閉させる機構の一部である案内凸部３３を利用して集塵ガイド４０を変位させる構成であるので、構成の簡略化を図りつつ集塵効率を高めることができる。
案内凸部３３に上側から係合させた案内壁部４５のカム形状を適切に設定することにより、集塵ガイド４０の動作タイミング及び経路を任意に設定することができ、これにより切断部位Ｃに対する当該集塵ガイドの位置を任意に制御することができる。
また、集塵ガイド４０を下方へ付勢する機能を有するリーフスプリング４６に切断粉をダストノズル１８まで案内する機能をも併せ持たせたことからコンパクトな構成で高い集塵効率を実現できる。
【００１４】
以上説明した第１実施形態には、種々変更を加えることができる。例えば、集塵ガイド４０を下方へ付勢するリーフスプリング４６に代えて、支軸３１周りに捩りばねを装着する等して当該集塵ガイド４０を下方へ付勢する構成としてもよい。また、集塵ガイド４０を下方へ付勢するばね等の付勢手段を省略してもよい。この場合であっても、集塵ガイドはその自重により下方へ回動することから同等の作用効果を得ることができる。
さらに、リンクアーム３０に対して一定の相対移動をさせるための案内凸部３３を利用して当該集塵ガイド４０に対して上方への退避を許容しつつ下方へ案内する構成を例示したが、案内凸部３３とは別に設けた部位を案内壁部に係合させて当該集塵ガイドに同様の動作をさせる構成としてもよい。従って、右側の集塵壁部４２に案内壁部を設けて、ブレードケース１５の右側部１５Ｒ側に設けた案内凸部を係合させる構成としてもよい。
また、リンクアーム３０の支軸３１を利用して集塵ガイド４０を回動支持する構成を例示したが、これとは別に設けた支軸を介して集塵ガイドを上下に回動可能に支持する構成としてもよい。
【００１５】
さらに、図６〜図８には、第２実施形態に係る集塵ガイド５０を備えた卓上切断機１が示されている。第２実施形態において、集塵ガイド５０を除く卓上切断機１自体の構成については第１実施形態と同様であるので、変更を要しない部材及び構成については同位の符号を用いてその説明を省略する。図９及び図１０には、第２実施形態に係る集塵ガイド５０が単体で示されている。
第２実施形態に係る集塵ガイド５０は、第１実施形態に係る集塵ガイド４０に相当するガイド本体５１に上下二つの補助ガイド５２，５３を追加した点で第１実施形態とは異なっている。ガイド本体５１の後部には、第１実施形態の集塵ガイド４０と同じく支持アーム部５４が後方へ延びる状態に設けられている。支持アーム部５４の後部は第１実施形態と同様支軸３１を介して本体支持ブラケット１１に結合されている。この支持アーム部５４を介してガイド本体５１が支軸３１を中心にして上下に傾動可能に支持されている。
ガイド本体５１は樹脂成形品で、第１実施形態の集塵ガイド４０と同じく左右の集塵壁部５１ａ，５１ｂと集塵底部５１ｃを有するコ字形状を有している。集塵底部５１ｃの後面に支持アーム部５４が後方に延びる状態に取り付けられている。図９に示すように左側の集塵壁部５１ａには、第１実施形態と同様、逃がし凹部５１ｇが形成されており、この逃がし凹部５１ｇの上部には上側へ凸向きの円弧形状をなす案内壁部５１ｄが設けられている。第１実施形態と同様、この案内壁部５１ｄが、ブレードケース１５側の案内凸部３３に乗せ掛けられて、当該ガイド本体５１が上方へ退避可能な状態で切断機本体１０の上下動に伴って上下に回動するようになっている。
左右の集塵壁部５１ａ，５１ｂの上部間は結合壁部５１ｅを介して相互に結合されて、一定間隔に固定されている。
図９及び図１０に示すように左右側の集塵壁部５１ａ，５１ｂにはそれぞれストッパ縁部５６が側方へ張り出す状態に設けられている。このストッパ縁部５６，５６が本体ケースＨの下端に当接することにより、上方へ退避が許容された当該ガイド本体５１の本体ケースＨに対する上動端位置（退避位置）が規制されている。
このガイド本体５１の集塵底部５１ｃに沿って左右方向に支持した上ガイド支軸５５を介して上補助ガイド５２が前後に回動可能に支持されている。この上補助ガイド５２も樹脂成型品で、左右の集塵壁部５２ａ，５２ｂと集塵底部５２ｃを有するコ字形状を有している。左右の集塵壁部５２ａ，５２ｂの内側にガイド本体５１の左右集塵壁部５１ａ，５１ｂが入り込んでいる。この上補助ガイド５２は、後述するばね５７によって後方へ回動する方向に付勢されている。このため、図６〜図８に示すように切断機本体１０が何れの回動位置に位置した状態であってもこの上補助ガイド５２の上部側は常にダストノズル１８内に進入してその底部に押し付けられた状態に保持される。このことから、この上補助ガイド５２は、前記第１実施形態のリーフスプリング４６と同じく切断粉をダストノズル１８内へ案内する機能を有している。
【００１６】
下補助ガイド５３は、ガイド本体５１の前部に支持されている。この下補助ガイド５３も樹脂成型品で、左右の集塵壁部５３ａ，５３ｂと集塵底部５３ｃを有するコ字形状を有している。左右の集塵壁部５３ａ，５３ｂの前部には、それぞれ側方へ突き出す状態で下ガイド支軸５３ｄ，５３ｅが一体に設けられている。両下ガイド支軸５３ｄ，５３ｅは、相互に同軸に設けられている。この左右の下ガイド支軸５３ｄ，５３ｅを介して当該下補助ガイド５３がガイド本体５１の前部に上下に回動可能な状態で支持されている。この下補助ガイド５３は、図６に示すように上方へ回動してガイド本体５１内に収納される一方、図８に示すように下方へ回動してガイド本体５１の下部からさらに下方へ張り出す状態となる。図１０に示すように右側の集塵壁部５３ｂには、規制軸部５３ｆが側方へ突き出す状態で一体に設けられている。この規制軸部５３ｆは、ガイド本体５１の右側の集塵壁部５１ｂに設けた規制溝部５１ｆ内に進入している。規制溝部５１ｆは、下補助ガイド５３の下ガイド支軸５３ｅを中心とする円弧形状に形成されている。この規制溝部５１ｆ内で規制軸部５３ｆが変位可能な角度範囲で当該下補助ガイド５３がガイド本体５１に対して上下に回動可能となっている。
この下補助ガイド５３もばね５７によって下方へ張り出す方向に付勢されている。図１０に示すようにこのばね５７は、線形のばね材を屈曲させたもので、その一端部５７ａは、上記規制軸部５３ｆに上側から押し当てられている。このばね５７の他端部５７ｂは、上補助ガイド５２の右側の集塵壁部５２ｂに引き掛けられている。このばね５７は、その一端部５７ａと他端部５７ｂとの間において、下補助ガイド５３を回動支持する下ガイド支軸５３ｅに上側から引き掛けられ、上補助ガイド５２を回動支持する上ガイド支軸５５に下側から引き掛けられている。また、下ガイド支軸５３ｅと上ガイド支軸５５との間において、このばね５７は、ガイド本体５１の右側の集塵壁部５１ｂに設けたストッパ縁部５６に対して下側から引き掛けられている。このように各部に引き掛けられた１本のばね５７によって、上補助ガイド５２が後方へ回動する方向に付勢され、かつ下補助ガイド５３が下方へ張り出す方向に付勢されている。
【００１７】
ガイド本体５１の下部から下補助ガイド５３がさらに下方へ張り出すことにより、例えば図８に示すようにフローリング材等の板厚の薄い切断材Ｗを切断する場合であって、ガイド本体５１と切断材Ｗと間に隙間が発生する場合であっても、この下補助ガイド５３がガイド本体５１から下方へ張り出して切断材Ｗの上面に当接等することにより上記隙間が遮蔽され、これにより切断部位Ｃで発生する切断粉の飛散を防止して確実な集塵を行うことができる。
下補助ガイド５３で集塵された切断粉はガイド本体５１内を経て上補助ガイド５２内に吹き上げられる。上補助ガイド５２は、ばね５７によって後方へ回動する方向に付勢されてその上部が常時ダストノズル１８内に進入してその底部に押し当てられた状態となっている。このため、ガイド本体５１内に吹き上げられた切断粉は上補助ガイド５２を経て確実にダストノズル１８内に集塵される。
このように、第２実施形態の集塵ガイド５０によれば、切断機本体１０の回動位置に係わらず切断部位Ｃからダストノズル１８に至る集塵経路について、ガイド本体５１と上下の補助ガイド５２，５３によってほぼ隙間なく形成されることから、特に板厚の薄い切断材Ｗを切断加工する場合に、切断部位Ｃで発生する切断粉を確実かつ効率よく集塵してダストノズル１８へ案内することができ、これにより当該切断機１の集塵効率を一層高めることができる。
切断機本体１０を上方へ戻すと、集塵ガイド５０は、図８に示す状態から図６に示す状態に格納される。すなわち、第１実施形態で説明したように、切断機本体１０が上方に戻されると案内凸部３３の上方への変位により持ち上げられる様にしてガード本体５１が上方へ戻される。また、これに伴って、リンクアーム３０が相対変位することにより可動カバー２０が閉じられる。可動カバー２０が閉じられることにより、その閉じ側端部２０ｂで下方から押されることにより下補助ガード５３がばね５７の付勢力に抗してガード本体５１に対して上方へ回動し、従ってガード本体５１内に格納される。下補助ガード５３の左右の集塵壁部５３ａ，５３ｂは、それぞれガード本体５１の左右の集塵壁部５１ａ，５１ｂの内面側に沿って格納される。
また、ガード本体５１が上方へ回動してブレードケース１５内に戻されることにより、上補助ガード５２がばね５７の付勢力に抗して相対的にガード本体５１内に格納される。上補助ガード５２の左右の集塵壁部５２ａ，５２ｂは、それぞれガード本体５１の左右の集塵壁部５１ａ，５１ｂの外側に沿って格納される。
【００１８】
図１１には第３実施形態の集塵ガイド６０を備えた卓上切断機１が示され、図１２には集塵ガイド６０が単体で示されている。この第３実施形態の集塵ガイド６０は、下補助ガイド５３に退避案内部６１を備える点で上記第２形態の集塵ガイド５０と異なっている。第２実施形態と同様の部材及び構成については同位の符号を用いてその説明を省略する。
退避案内部６１は、下補助ガイド５３の後端部であって集塵底部５３ｃの下端部から後方へ延びている。この退避案内部６１は、樹脂成型品である下補助ガイド５３に一体に成形されている。退避案内部６１は、下向きに凸となる向きに緩やかに湾曲した円弧形状（上ぞり形状）を有している。退避案内部６１の上面には、円弧形状を保持するためのリブ６１ａがその全長にわたって一体に成形されている。
この退避案内部６１は、切断機本体１０を下方へ傾動させた後切断材Ｗの面方向に沿って後方へスライドさせる段階において、下補助ガイド５３と切断材Ｗの前端との干渉を回避して当該下補助ガイド５３をスムーズに上方へ回動させて切断材Ｗの上面に移行させる機能を有している。すなわち、図１１に示すように切断機本体１０を下死点かつ手前側のスライド前端位置に下動させ、この下死点から使用者が切断本体１０を切断進行方向（後方）へスライドさせる段階で、先ずこの退避案内部６１が切断材Ｗの前端に当接する。
切断機本体１０の後方へのスライドに伴って退避案内部６１が切断材Ｗに摺接されることにより、下補助ガイド５３が支軸５３ｄ，５３ｅを中心にして徐々に上方へ回動し、最終的に下補助ガイド５３が切断材Ｗの上面に乗り上げられる。下補助ガイド５３が切断材Ｗの上面に当接された状態で切断機本体１０が後方にスライドされて切断加工が進行することにより、切断部位Ｃで発生した切断粉が下補助ガイド５３、ガイド本体５１及び上補助ガイド５２を経て効率よく集塵ガイド１８に集塵される。
このように、第３実施形態の集塵ガイド６０によれば、切断機本体１０を下動させた後、後方へスライドさせて切断加工を行う場合に、当初は下補助ガイド５３が切断材Ｗの上面から外れた状態であっても、切断機本体１０のスライドに伴う退避案内部６１の摺接作用によって下補助ガイド５３を使用者の手動操作を必要とすることなく自動的かつスムーズに切断材Ｗの前方から上面に乗せ上げることができ、この点で当該集塵ガイド６０ひいては卓上切断機１の操作性（使い勝手）を高めることができる。
【符号の説明】
【００１９】
Ｗ…切断材
Ｃ…切断部位
１…卓上切断機
２…テーブル、２ａ…ロックノブ、２ｂ…ロックレバー
３…ベース、３ａ…補助テーブル部
４…本体支持部
５…位置決めフェンス
６…前後スライド機構（下段側）、６ａ…スライドバー
７…左右傾動機構
７ａ…傾動受け部材、７ｂ…傾動支持部材、７ｃ…固定レバー、７ｄ…本体支持アーム
８…前後スライド機構（上段側）
８ａ…スライドバー、８ｂ…スライド支持部、８ｃ…後端結合ブロック
１０…切断機本体
１１…本体支持ブラケット
１２…本体支軸
Ｈ…本体ケース
１３…電動モータ
１４…回転刃具
１５…ブレードケース、１５Ｌ…左側部、１５Ｒ…右側部、１５ｃ…矢印
１６…ハンドル部
１７…スイッチレバー
１８…ダストノズル
１９…支持部
２０…可動カバー、２０ａ…係合板部、２０ｂ…閉じ側端部
２１…支軸
２２…補助プレート
２３…支軸
２４…固定ねじ
３０…リンクアーム、３０ａ…案内溝部
３１…支軸
３２…係合ローラ
３３…案内凸部
３４…ストッパボルト
３５…ストッパブロック
４０…集塵ガイド（第１実施形態）
４１…集塵壁部（左側）、４１ａ…逃がし凹部
４２…集塵壁部（右側）
４３…集塵底部
４４…支持アーム部
４５…案内壁部
４６…リーフスプリング
５０…集塵ガイド（第２実施形態）
５１…ガイド本体
５１ａ…集塵壁部（左側）５１ｂ…集塵壁部（右側）、５１ｃ…集塵底部
５１ｄ…案内壁部、５１ｅ…結合壁部、５１ｆ…規制溝部、５１ｇ…逃がし凹部
５２…上補助ガイド
５２ａ…集塵壁部（左側）、５２ｂ…集塵壁部（右側）、５２ｃ…集塵底部
５３…下補助ガイド
５３ａ…集塵壁部（左側）、５３ｂ…集塵壁部（右側）、５３ｃ…集塵底部
５３ｄ…ガイド支軸（左側）、５３ｅ…ガイド支軸（右側）、５３ｆ…規制軸部
５４…支持アーム部
５５…上ガイド支軸
５６…ストッパ縁部
５７…ばね、５７ａ…一端部、５７ｂ…他端部
６０…集塵ガイド（第３実施形態）
６１…退避案内部、６１ａ…リブ
【図１】
0005485000.tif 000002
【図２】
0005485000.tif 000003
【図３】
0005485000.tif 000004
【図４】
0005485000.tif 000005
【図５】
0005485000.tif 000006
【図６】
0005485000.tif 000007
【図７】
0005485000.tif 000008
【図８】
0005485000.tif 000009
【図９】
0005485000.tif 000010
【図１０】
0005485000.tif 000011
【図１１】
0005485000.tif 000012
【図１２】
0005485000.tif 000013